(57)【特許請求の範囲】
【請求項１】
天井部および壁部と、
前記天井部の一部の領域に設けられる照明ユニットと、
前記天井部の前記一部の領域を除いた残りの領域に設けられる天井パネルと、
前記天井パネルの浴室外側に設けられる換気装置およびそのダクトと、を備え、
前記照明ユニットは、周縁部に設けられる、前記壁部または前記天井部と連結されるための連結部と、面状発光体と、を備え、
前記照明ユニットは、その上下方向における長さが、前記天井パネルの上下方向における長さと、前記換気装置または前記ダクトの前記天井パネルからの上方向への突出長さの合計長さ以下であり、
前記照明ユニットは、前記面状発光体が取り付けられるフレームを備え、
前記フレームは、本体となる枠片と、前記枠片より前記フレームの面方向内側に向けて設けられる支持片と、を備え、
前記支持片の浴室外側の面に、パッキンを介して浴室内に面する透光性カバーが取り付けられ、
前記透光性カバーは、前記面状発光体から浴室内側に所定の間隔をあけて配置されるものであることを特徴とする浴室。
【請求項２】
前記面状発光体は、発光素子および導光板を有する装置、または、複数の発光素子を備えた基板を有する装置、または、ＥＬ素子を有する装置のいずれか一つまたは複数により構成されることを特徴とする請求項１記載の浴室。
【請求項３】
前記透光性カバーは、浴室内外方向視において前記面状発光体と略同じ形状であることを特徴とする請求項１または２記載の浴室。
【請求項４】
前記透光性カバーおよび前記天井パネルの浴室内側の面が面一となることを特徴とする請求項１〜３のいずれか一項に記載の浴室。
【発明の詳細な説明】
【技術分野】
【０００１】
本発明は、浴室に関し、さらに詳しくは、天井部および壁部、照明装置を備える浴室に関する。
【背景技術】
【０００２】
従来、天井パネルおよび壁パネルを備え、天井パネルの一部の領域に、白熱電球または蛍光灯を有する照明装置が設けられた浴室が知られている（例えば特許文献１参照）。従来の浴室にあっては、天井パネルの浴室外側に、換気装置およびそのダクトが設けられている。
【０００３】
このような従来の浴室において、屋外からの自然光を取り入れた雰囲気で開放感を感じさせるために、面状の照明装置を備えることも検討されている。
【先行技術文献】
【特許文献】
【０００４】
【特許文献１】特開平１１−００６３１５号公報
【発明の概要】
【発明が解決しようとする課題】
【０００５】
しかしながら、従来の浴室における面状の照明装置にあっては、天井パネルにおける浴室外方への照明装置の突出長さが長くなってしまう。これにより、照明装置の浴室外方への突出長さが、天井パネルの浴室内外方向における長さと、換気装置またはダクトの浴室外方向への突出長さの合計長さよりも長くなると、天井面を下げる必要が生じて、浴室空間が狭くなる惧れがあった。
【０００６】
本発明は上記従来の問題点に鑑みて発明したものであって、その目的とするところは、天井面を下げる必要のない浴室を提供することにある。
【課題を解決するための手段】
【０００７】
本発明に係る浴室は、天井部および壁部と、前記天井部の一部の領域に設けられる照明ユニットと、前記天井部の前記一部の領域を除いた残りの領域に設けられる天井パネルと、前記天井パネルの浴室外側に設けられる換気装置およびそのダクトと、を備え、前記照明ユニットは、周縁部に設けられる、前記壁部または前記天井部と連結されるための連結部と、面状発光体と、を備え、前記照明ユニットは、その上下方向における長さが、前記天井パネルの上下方向における長さと、前記換気装置または前記ダクトの前記天井パネルからの上方向への突出長さの合計長さ以下である。さらに、前記照明ユニットは、前記面状発光体が取り付けられるフレームを備え、前記フレームは、本体となる枠片と、前記枠片より前記フレームの面方向内側に向けて設けられる支持片と、を備え、前記支持片の浴室外側の面に、パッキンを介して浴室内に面する透光性カバーが取り付けられ、前記透光性カバーは、前記面状発光体から浴室内側に所定の間隔をあけて配置されるものであることを特徴とする。
【発明の効果】
【０００８】
本発明にあっては、天井面を下げる必要がなく、浴室空間が狭くなるのが抑制される。
【図面の簡単な説明】
【０００９】
【図１】第一実施形態における浴室の上部を斜め上方より見た一部破断した斜視図である。
【図２】第一実施形態における浴室の上部を斜め下方より見た一部破断した斜視図である。
【図３】第一実施形態における発光ユニットを除く照明ユニットの分解斜視図である。
【図４】第一実施形態における浴室の天井部付近の断面図である。
【図５】第一実施形態における換気装置の斜め下方より見た斜視図である。
【図６】第一実施形態における換気装置が取り外された状態の換気用パネル付近の斜め上方より見た斜視図である。
【図７】第二実施形態における浴室の上部を斜め上方より見た一部破断した斜視図である。
【図８】第二実施形態における浴室の上部を斜め下方より見た一部破断した斜視図である。
【図９】第一実施形態における照明ユニットを斜め上方より見た斜視図である。
【図１０】第一実施形態におけるフレームと壁パネルの連結箇所における断面図である。
【図１１】第一実施形態におけるフレームと天井パネルの連結箇所における斜め上方より見た斜視図である。
【図１２】第一実施形態におけるフレームの壁パネルへの連結を示す斜め上方より見た斜視図である。
【図１３】第一実施形態におけるフレームと天井パネルの連結箇所における断面図である。
【図１４】第一実施形態における天井パネルのフレームへの連結を説明する斜め上方より見た一部拡大斜視図である。
【図１５】第一実施形態における天井パネルのフレームへの連結を説明する斜め上方より見た斜視図である。
【図１６】第一実施形態における発光ユニットの断面図である。
【図１７】第一実施形態における発光ユニットの斜視図である。
【図１８】第三実施形態における浴室の天井部付近の断面図である。
【発明を実施するための形態】
【００１０】
本発明の浴室の実施形態について、添付図面に基いて説明する。
【００１１】
浴室は、図１、図２に示すように、天井部１および壁部２を備えている。第一実施形態では、浴室は、略板状をした天井部１と、略板状をした壁部２と、床パンを備えた床部（不図示）と、を有する浴室ユニットにより構成されているが、特に浴室ユニットにより構成されなくてもよい。第一実施形態では、浴室ユニットは略矩形箱状をしたものであるが、特に矩形箱状に限定されず、例えば天井部１がドーム型をしてもよい。
【００１２】
天井部１には、図３に示すように、後で詳述する一部の領域に設けられる照明ユニット３を構成するフレーム４が設けられる。フレーム４は、天井部１において、その一部の領域に設けられる。
【００１３】
フレーム４は、図３に示すように、浴室内外方向視（すなわち、フレーム４が設けられる天井面または壁面に垂直な方向から視て）において、環状をしたものである。なお、フレーム４は、浴室内外方向視において概ね環状をしていればよく、一部欠損して完全な環状になっていなくてもよい。フレーム４については後述する。
【００１４】
第一実施形態では、フレーム４は、図１、図２に示すように、天井部１の一部の領域に設けられる。そして、一部の領域を除いた残りの領域にパネルが設けられる。すなわち、第一実施形態では、フレーム４が設けられる天井部１の一部の領域を除いた残りの領域にパネル（天井パネル１０）が設けられる。壁部２にはフレーム４が設けられず、壁部２全域に壁パネル２０が設けられる。壁パネル２０には、適宜、出入口や配管挿通口（不図示）が形成されてもよい。
【００１５】
天井パネル１０は、天井部１において、フレーム４が設けられる一部の領域を除いた残りの領域の全域に設けられてもよいし、残りの領域の一部に設けられてもよいが、少なくとも残りの領域のフレーム４と隣接する部分に設けられる。この残りの領域に設けられる天井パネル１０は、照明ユニット３と隣接する非照明部となる。
【００１６】
パネルは、一体に形成されてもよいし、複数に分割されてもよい。第一実施形態では、天井パネル１０は、図１、図２に示すように、二分割されている。二分割された天井パネル１０はそれぞれ、換気用パネル１１および点検口パネル１２となっている。
【００１７】
換気用パネル１１には、換気口１１０が形成され、換気口１１０を介して浴室内外に通気が可能となっている。第一実施形態では、図４に示すように、換気用パネル１１に、換気口１１０を介して換気を行う換気装置１８が設けられている。なお、換気装置１８の代わりに、温風を浴室内に吐出する温風装置や、ミストを浴室内に吐出するミスト装置や、これらが複合された装置等が適宜設けられてもよい。
【００１８】
換気装置１８は、図４、図５に示すように、パネル（第一実施形態では換気用パネル１１）の浴室外側に設けられる。換気装置１８は、筐体を有し、その浴室内側がフランジ部１８１となって、天井部１の浴室内側の面に設けられている。フランジ部１８１には開口１８２が形成され、浴室内と換気装置１８内とが開口１８２を介して連通している。
【００１９】
換気装置１８は、ダクト接続部１８３を備えている。ダクト接続部１８３に、ダクト１９が接続されている。第一実施形態では、開口１８２には、グリルや格子状をした通気部材が設けられているが、特に設けられなくてもよい。図６に示す換気口１１０に、換気装置１８が設けられて、換気口１１０が閉塞される。なお、図４における符号９０は、建物躯体の天井を示す。
【００２０】
点検口パネル１２には、点検口１２０が形成される。点検口１２０には、点検口１２０を閉塞する点検蓋１２１が着脱自在に設けられる。作業者は、浴室内から点検口１２０を介して天井部１の上側に出て、換気装置１８や、照明ユニット３のメンテナンス作業を行うことができる。
【００２１】
なお、図７、図８に示す第二実施形態のように、天井パネル１０が、上記換気用パネル１１および点検口パネル１２に加えて第三のパネル１０１を有するように、三分割されていてもよい。またさらに、天井パネル１０が四以上に分割されてもよい。
【００２２】
フレーム４は、図９に示すように、周縁部に、壁部２または天井部１と連結されるための連結部４００を備える。第一実施形態では、フレーム４は、平面視（浴室内外方向視）矩形状をしている。フレーム４の周縁部のうちの三辺が、壁パネル２０の上端部に沿う第一の側片４０となる。第一の側片４０に、壁パネル２０と連結される連結部４００（壁パネル連結部４０１）が設けられる。フレーム４の周縁部のうちの残りの一辺が、天井パネル１０と連結される第二の側片５０となる。第二の側片５０に、天井パネル１０と連結される連結部４００（天井パネル連結部４０２）が設けられる。連結部４００は、各辺（第一の側片４０または第二の側片５０）の全長に亘って設けられるのが好ましいが、特に全長に亘って設けられなくてもよい。また、連結部４００は、全辺（第一の側片４０および第二の側片５０）に設けられるのが好ましいが、全辺に設けられなくてもよい。
【００２３】
第一の側片４０は、第一実施形態では、図１０に示すように、枠片４１と、上片４２と、支持片４３と、連結片４４と、を備えている。
【００２４】
枠片４１は、第一の側片４０の本体となる部分で、第一実施形態では縦に長い平板状をしたものであるが、断面形状は限定されず、横方向の長さが縦方向の長さより長くてもよい。
【００２５】
上片４２は、枠片４１の上端部からフレーム４の面方向内側に向けて設けられる。上片４２には、後述する面状発光体６を上方より押さえる押さえ部材４５が設けられる。押さえ部材４５は、断面Ｌ字状をした長尺の部材で、ビス等の固着具４５１が挿通される挿通孔（不図示）が形成されている。押さえ部材４５は、挿通孔に固着具４５１が挿通されて、上片４２に形成された固着孔に固着具４５１が螺合することにより、上片４２に取り付けられる。
【００２６】
支持片４３は、枠片４１の下端部からフレーム４の面方向内側に向けて設けられ、後述する透光性カバー３１を下方より支持する。支持片４３は、壁パネル２０の上端部に載置されて支持される。
【００２７】
連結片４４は、枠片４１の下端部から下方に設けられる。連結片４４は、支持片４３が壁パネル２０の上端部に載置されたときに、壁パネル２０の上端部の外側に位置する。連結片４４には、図１０、図１１に示すように、ビス等の固着具２４が螺合される横方向に長い長孔からなる固着孔４４１が複数形成されている。
【００２８】
第一実施形態では、図１０に示すように、第一の側片４０における、壁パネル２０の上端部に載置される支持片４３と、固着孔４４１を有する連結片４４とにより、フレーム４の壁パネル連結部４０１が形成されるが、壁パネル連結部４０１は特にこのようなものに限定されない。
【００２９】
さらに第一実施形態では、図１０に示すように、第一の側片４０が中片４６を備えている。中片４６は、枠片４１の上片４２および支持片４３の中間部からフレーム４の面方向内側に向けて設けられる。中片４６には、一対の突起からなるスペーサ取付部４６１が設けられている。スペーサ取付部４６１に、後述する導光板８と透光性カバー３１とに当接する当接面を有するスペーサ部材４７１が取り付けられる。
【００３０】
壁パネル２０は、図１０に示すように、上端部に、浴室外側に設けられる突出片２１と、突出片２１の突出端から上方に突出する被載置片２２と、を備えている。被載置片２２には、ビス等の固着具２４が挿通される丸孔からなる挿通孔２３が複数形成されている。
【００３１】
壁パネル２０へのフレーム４の連結は、図１０に示すように、壁パネル２０の上端部に第一の側片４０の支持片４３が載置される。そして、浴室内側から、被載置片２２に形成された挿通孔２３にビス等の固着具２４が挿通されて、固着具２４が連結片４４に形成された固着孔４４１に螺合される。その後、浴室内側から、突出片２１と支持片４３との間に形成される、浴室外側に凹む横溝状をした隙間２５に、廻り縁２６が嵌め込まれる。廻り縁２６により、固着具２４および隙間２５が目隠しされる。このような作業が、図１２に示すように、フレーム４の三つの第一の側片４０および対応する三面の壁パネル２０に対して行われる。
【００３２】
このとき、図１１に示すように、固着孔４４１が長孔となっていることにより、フレーム４が壁パネル２０に対して、所定位置から若干（すなわち長孔の範囲内で）横方向にずれても、連結が可能である。なお、第一実施形態では、固着孔４４１が長孔で、挿通孔２３が丸孔となっているが、固着孔４４１が丸孔で、挿通孔２３が長孔となっていてもよい。
【００３３】
また、天井パネル１０（換気用パネル１１および点検口パネル１２）も、同様にして壁パネル２０へ連結される。すなわち、天井パネル１０は、図１１に示すように、平面視矩形状をした平板からなる本体部１３と、壁パネル２０に対応する本体部１３の周縁部から下方に設けられる連結片１４と、を備えている。連結片１４には、固着具２４が螺合される横方向に長い長孔からなる固着孔１４１が複数形成されている。また、本体部１３の上面には、断熱材１５が設けられるが、断熱材１５は設けられなくてもよい。
【００３４】
天井パネル１０の壁パネル２０への連結は、図示しないが、フレーム４の場合と同様で、まず、壁パネル２０の上端部に本体部１３が載置される。そして、浴室内側から、壁パネル２０の被載置片２２に形成された挿通孔２３に固着具２４が挿通されて（図１０参照）、固着具２４が図１１に示す連結片１４に形成された固着孔１４１に螺合される。その後、本体部１３と被載置片２２との間に形成される隙間に、廻り縁２６（図１０参照）が嵌め込まれる。
【００３５】
フレーム４は、図１１、図１２に示すように、第二の側片５０に設けられた天井パネル連結部４０２により、天井パネル１０と連結される。
【００３６】
第二の側片５０は、第一実施形態では、図１３に示すように、枠片５１と、上片５２と、支持片５３と、を備えている。
【００３７】
枠片５１は、第二の側片５０の本体となる部分で、第一実施形態では縦に長い平板状をしたものであるが、断面形状は限定されず、横方向の長さが縦方向の長さより長くてもよい。枠片５１には、複数の引掛具取付孔が形成されており、引掛部取付孔にビス等からなる引掛具５１１（図１４参照）が取り付けられている。また、図１３に示すように、枠片５１には、複数の固着孔５１２が形成されている。
【００３８】
上片５２は、枠片５１の上端部からフレーム４の面方向内側に向けて設けられる。上片５２には、後述する面状発光体６が有する発光ユニット７０が取り付けられる。
【００３９】
支持片５３は、枠片５１の下端部からフレーム４の面方向内側に向けて設けられ、後述する透光性カバー３１を下方より支持する。
【００４０】
さらに第一実施形態では、図１３に示すように、第二の側片５０が、支持片５３の中間部の上側に取付片５４を備えている。取付片５４は、上面に取付部材５５が載置される載置部５４１と、取付部材５５が取り付けられる取付部５４２と、を備えている。取付部５４２は、上方に突出する一対の突起からなる。
【００４１】
取付部材５５は、下端が支持片５３上に載置され、下方に突出する被取付部５５１が、取付部５４２を構成する一対の突起間に嵌入されて、取付片５４に取り付けられる。
【００４２】
取付部材５５は、フレーム４の面方向内側の部分の上面が、後述する導光板８が載置される導光板載置面５５２となり、フレーム４外側の部分の上面が、発光ユニット７０が載置される発光ユニット載置面５５３となる。
【００４３】
天井パネル１０は、図１１、図１３に示すように、フレーム４に隣接する周縁部に、本体部１３から上方に起立する起立片１６を備えている。起立片１６には、図１１に示すように、引掛具５１１が挿通される引掛具挿通孔１６１が複数形成されている。この引掛具挿通孔１６１は、引掛具５１１全体が挿通可能である。すなわち、引掛具５１１がビスである場合、ビスの軸部のみならず頭部も引掛具挿通孔１６１を挿通可能である。また起立片１６には、ビス等の固着具５１３が挿通される丸孔からなる固着具挿通孔１６２が複数形成されている。
【００４４】
フレーム４への天井パネル１０の連結は、図１４に示すように、天井パネル１０の起立片１６に形成された引掛具挿通孔１６１に、フレーム４に取り付けられた引掛具５１１が挿通されるように、天井パネル１０が移動される。そして、引掛具５１１の上面に引掛具挿通孔１６１の上縁部が載置されて、仮固定が行われる。その後、起立片１６に形成された固着具挿通孔１６２に固着具５１３が挿通され、図１３に示すように、固着具５１３が枠片５１に形成された固着孔５１２に螺合されて、図１５に示すように、本固定が行われる。
【００４５】
第一実施形態では、図１３、図１４に示すように、第二の側片５０における、引掛具取付孔に取り付けられる引掛具５１１および固着孔５１２を有する枠片５１により、フレーム４の天井パネル連結部４０２が形成されるが、天井パネル連結部４０２は特にこのようなものに限定されない。
【００４６】
また、天井パネル１０が複数に分割されている場合には、天井パネル１０間にバックアップ材（不図示）が設けられるのが好ましい。すなわち、第一実施形態では、換気用パネル１１および点検口パネル１２は、並設されて、それぞれが壁パネル２０に連結される。そして、換気用パネル１１と点検口パネル１２の互いに隣接する端部において、その端部間にバックアップ材が設けられる。
【００４７】
パネル間にバックアップ材が設けられることにより、パネル間の目地が閉塞される。
【００４８】
次に、照明ユニット３について説明する。照明ユニット３は、図３に示すように、少なくとも、フレーム４と、照明装置としての面状発光体６と、を備える。
【００４９】
面状発光体６は、従来の一般的な白熱電球または蛍光灯が用いられる照明装置と比較して、厚み（浴室内外方向の長さ）が薄くなるように形成されるものである。第一実施形態では、面状発光体６は、図１６に示す発光素子７および図３に示す導光板８を有する装置（便宜上、導光板発光装置とする）である。これ以外に、面状発光体６としては、図示しないが、複数の発光素子を備えた基板を有する装置（便宜上、基板発光装置とする）、または、ＥＬ（electro luminescence）素子を有する装置（便宜上、ＥＬ装置とする）であってもよい。さらに、面状発光体６として、前記各装置の複数が複合されたものにより構成されてもよい。すなわち、導光板発光装置と基板発光装置、または、導光板発光装置とＥＬ装置、または、基板発光装置とＥＬ装置、または、導光板発光装置と基板発光装置とＥＬ装置とが組み合わされて、面状発光体６が構成されてもよい。また、面状発光体６として、導光板発光装置、基板発光装置、ＥＬ装置以外の装置であってもよい。
【００５０】
このような面状発光体６が用いられることにより、上記従来の照明ユニット３と比較して、照明ユニット３全体の厚みが薄く、且つ、照明ユニット３全体から照射される光量の増加が可能となる。さらには、上記従来の照明ユニット３と比較して、省エネ化も可能となる。
【００５１】
導光板発光装置は、図１３に示すように、少なくとも発光素子７および導光板８を備えることが好ましい。
【００５２】
発光素子７としては、従来の一般的な白熱電球や蛍光灯ではなく、これらと比較して小さい点光源が用いられる。このような点光源として、第一実施形態ではＬＥＤ（light emitting diode）が用いられるが、ＬＥＤ以外であってもよく、特に限定されない。また、発光素子７は、導光板発光装置において、一つのみ設けられてもよいし、複数設けられてもよい。
【００５３】
第一実施形態では、発光素子７を有する発光ユニット７０が設けられる。発光ユニット７０は、図１３、図１６、図１７に示すように、ハウジング７１と、ハウジング７１に設けられる基板７２と、基板７２に設けられる発光素子７と、を備える。ハウジング７１は、基板７２が取り付けられる本体部７１１と、フレーム４の第二の側片５０の上片５２および枠片５１の上端部に取り付けられる取付部７１２と、を備える。本体部７１１の所定の位置に、基板７２が取り付けられる。本体部７１１は、図１３に示すように、下端が取付部材５５の発光ユニット載置面５５３に載置されて、上下の位置決めがなされる。これにより、基板７２に設けられた発光素子７が、所定の上下位置に位置する。また、本体部７１１には、図１３、図１６に示すように、基板７２を覆う覆い部７１３が設けられる。覆い部７１３は、発光素子７に対応する部分に透光部７１４が設けられている。
【００５４】
導光板８は、図１３に示すように、表面の一部に設けられる入射面８１より光が入射し、入射した光が、導光板８内において進行や反射を行いながら、表面の一部に設けられる出射面８２より出射して、出射面８２全体が発光するものである。すなわち、導光板８内に入射した光は、導光板８内を進行して、導光板８の表面に到達すると、ここで導光板８内に反射したり導光板８外に出射したりする。導光板８内に反射した光は、再び進行し、導光板８の表面に到達すると再び反射したり出射したりし、これを繰り返し、出射面８２全体より概ね均一に出射可能となる。
【００５５】
第一実施形態では、導光板８は、図３に示すように、浴室内外方向視（すなわち平面視）において、フレーム４と略同じ形状の矩形状をした板で、アクリルやガラスをはじめとする透光性を有する材質により形成される。なお、導光板８の材質は、透光性を有していればよく、特に限定されない。図１３に示すように、導光板８の側端面の一部が入射面８１となり、浴室内側に面する板面全体が出射面８２となる。発光素子７は、入射面８１を向くように設けられる。なお、第一実施形態では、導光板８の側端面の一部が入射面８１となっているが、浴室内側または浴室外側の板面に入射面８１が形成されてもよい。
【００５６】
そして、図３、図１０、図１３に示すように、導光板８の出射面８２と反対側（浴室外側）の板面に、拡散部８３が設けられる。拡散部８３は、導光板８内を進行して、出射面８２と反対側の板面に到達した光が、出射面８２に向けて反射して出射面８２より出射するように、拡散させるものである。第一実施形態では、拡散部８３は、導光板８の出射面８２と反対側の板面に接するように設けられる拡散シートにより構成される。拡散シートは、導光板８の出射面８２と反対側の板面を向く面に、明度の大きい色による塗装や印刷、微細な凹凸形状が形成されたりすること等により、光を乱反射させるものである。
【００５７】
なお、拡散シートは、前記塗装や印刷、凹凸形状が形成されるものに限定されず、その他の形態で光を乱反射させるものでもよい。また、第一実施形態では、拡散シートが設けられることにより拡散部８３が形成されているが、導光板８の出射面８２と反対側の板面に、塗装や印刷や凹凸形状が直接施されること等により拡散部８３が形成されてもよい。
【００５８】
第一実施形態では、発光素子７を有する発光ユニット７０と、導光板８と拡散部８３とにより、面状発光体６をなす導光板発光装置が形成されている。なお、導光板発光装置が前記以外の部材を付加的に備えてもよい。
【００５９】
さらに第一実施形態では、図３、図１０、図１３に示すように、透光性カバー３１を備えている。透光性カバー３１は、浴室内に面して、発光素子７および導光板８に浴室内からの湿度の高い空気が触れないように、浴室内からの空気の流入を阻止する。また、透光性カバー３１は、導光板８が損傷するのを抑制する。
【００６０】
第一実施形態では、透光性カバー３１は、図１０、図１３に示すように、平面視において、フレーム４の支持片４３、５３の内端縁に囲まれる領域（浴室内外を連通させる開口）よりも大きい。また、透光性カバー３１は、図３に示すように、浴室内外方向視（すなわち平面視）において、面状発光体６の導光板８と略同じ形状をしている。ここで、略同じ形状とは、同形同大を含むのは勿論のこと、辺の長さが５％程度異なる形状を含むものとする。
【００６１】
透光性カバー３１は、図１０、図１３に示すように、支持片４３、５３の浴室外側（上側）の面に、パッキン４８を介して載置されて支持される。透光性カバー３１は、支持片４３、５３上に載置されて枠片４１、５１に囲まれて、フレーム４に取り付けられる。
【００６２】
なお、第一実施形態では、透光性カバー３１は、支持片４３、５３の浴室外側（上側）の面にパッキン４８を介して載置されて取り付けられているが、図１０、図１３に示す支持片４３、５３の浴室内側の面４３１、５３１に、パッキン４８を介して取り付けられてもよい。例えば、ビス等の固着具が、下方より、透光性カバー３１に形成された固着具挿通孔を介して、支持片４３、５３に形成された固着孔に螺合されることで、透光性カバー３１が支持片４３、５３に取り付けられる。
【００６３】
透光性カバー３１は、浴室内側の面が、パネルの浴室内側の面と略面一となることが好ましい。第一実施形態では、図１３に示すように、透光性カバー３１の下面３１１と天井パネル１０の下面１７とが略面一となっている。これにより、浴室内側からの見栄えが良くなる。また、照明ユニット３を点灯すると、天井部１の上には空が広がっているような感覚になり、使用者が自然光を浴びているような開放感を感じることができる。なお、略面一とは、完全な面一のみならず、５ｍｍ程度までのずれは許容されるものとする。また、第一実施形態では、支持片５３の浴室内側の面５３１と天井パネル１０の下面１７とが面一となっている。
【００６４】
透光性カバー３１は、面状発光体６から浴室内側に所定の間隔をあけて配置される。第一実施形態では、図３、図１０、図１３に示すように、面状発光体６と透光性カバー３１との間に、スペーサ４７が設けられている。このスペーサ４７により、面状発光体６と透光性カバー３１との間隔が所定の間隔となるように保たれる。
【００６５】
第一の側片４０においては、図１０に示すように、中片４６に設けられるスペーサ取付部４６１を構成する一対の突起間に、導光板８と透光性カバー３１とに当接する当接面を有するスペーサ部材４７１の端部が取り付けられて、スペーサ４７が形成されている。
【００６６】
第二の側片５０においては、図１３に示すように、取付部材５５の導光板載置面５５２が、支持片５３の上面から所定の高さに位置するものであるため、この取付部材５５がスペーサ４７として機能している。
【００６７】
また、第一実施形態では、図１０、図１３に示すように、スペーサ４７の浴室内側の面４７２、５５４は、光反射性を有している。すなわち、例えば白色等の明度の大きい色による塗装や、鏡面仕上げが為されている。なお、スペーサ４７は、前記のような光反射性を有しなくてもよい。
【００６８】
第一実施形態では、透光性カバー３１は、間に透光性カバー３１が介在しても物体が明確に見えるような光透過性を有するものであってもよい。また、透光性カバー３１は、シボ加工や乳白色等の着色が施されて所謂スリガラス状となって、間に透光性カバー３１が介在すると物体が明確に見えないものであってもよい。
【００６９】
さらに第一実施形態では、図１０、図１３に示すように、外カバー３２を備えている。外カバー３２は、浴室外の空間９に面して、導光板８および拡散シート（拡散部８３）を保護する。外カバー３２は、図１０に示すように、壁パネル２０と隣接する端縁において、フレーム４の第一の側片４０の上片５２に設けられる押さえ部材４５により、下方に押さえられる。
【００７０】
第一実施形態では、フレーム４と、フレーム４に設けられるスペーサ４７およびパッキン４８と、面状発光体６と、透光性カバー３１と、外カバー３２とにより、照明ユニット３が形成されている。
【００７１】
このとき、図３、図１３に示すように、フレーム４に囲まれる空間４９に面状発光体６を備える。ここで、フレーム４に囲まれる空間４９とは、図３に示すように、浴室内外方向視において環状をしたフレーム４の、浴室内外方向における両開口端の間においてフレーム４に囲まれる空間をいう。また、フレーム４に囲まれる空間４９に面状発光体６を備えるとは、面状発光体６の全体が空間４９内に位置するのは勿論、面状発光体６の大部分が空間４９内に位置するのが好ましいが、面状発光体６の少なくとも一部が空間４９内に位置すればよい。
【００７２】
上記のように、白熱電球または蛍光灯が用いられる従来の照明装置よりも薄い面状発光体６が、フレーム４に囲まれる空間４９に設けられる。また、フレーム４は、周縁部に、天井部１または壁部２と連結されるための連結部４００を備える。これにより、天井部１または壁部２における浴室外方への照明装置（照明ユニット３）の突出長さが、従来の照明装置の突出長さよりも短くてすむか、あるいは照明装置が突出しなくてすむ。この結果、天井部１と壁部２と床部とで囲まれる浴室空間が狭くなるのが抑制される。
【００７３】
特に、照明ユニット３の浴室内外方向における長さが、天井パネル１０の浴室内外方向における長さと、換気装置１８またはダクト１９の天井パネル１０からの浴室外方向への突出長さの合計長さ以下とする。これにより、天井の高さを下げなくても、広い面積の照明装置を設けることができ、照明ユニット３を点灯すると、天井部１の上には空が広がっているような感覚になり、使用者が自然光を浴びているような開放感を感じることができる。更により好ましくは、図４に示すように、照明ユニット３の浴室内外方向における長さが、天井パネル１０の浴室内外方向における長さと、ダクト１９と天井パネル１０の間の隙間の浴室内外方向における長さの合計長さ以下とする。これによりダクト１９の取り回しの設計自由度が向上する。
【００７４】
また、第一実施形態では、発光ユニット７０が、照明ユニット３に対して着脱自在に取り付けられている。発光ユニット７０は、作業者が、天井パネル１０の点検口１２０より、天井裏に乗り出して、着脱することができる。なお、照明ユニット３が前記以外の部材をさらに備えてもよい。
【００７５】
また、面状発光体６として基板発光装置が用いられてもよく、基板発光装置は、上述したように少なくとも複数の発光素子を備えた基板を有する。
【００７６】
発光素子としては、従来の一般的な白熱電球や蛍光灯ではなく、これらと比較して小さい点光源が用いられる。このような点光源として、ＬＥＤ（light emitting diode）が好適に用いられるが、特に限定されない。
【００７７】
基板は、複数の発光素子と、発光素子への給電部や回路等を備える。基板は、第一実施形態における導光板８と略同じ大きさの一枚の基板からなるものでもよいし、複数の基板が並設されて第一実施形態における導光板８と略同じ大きさに形成されてもよい。
【００７８】
面状発光体６として基板発光装置が用いられる場合、透光性カバー３１は、シボ加工や乳白色等の着色が施されて所謂スリガラス状となって、間に透光性カバー３１が介在すると物体が明確に見えないものとするのが好ましい。また、透光性カバー３１は、導光板発光装置の場合と同様に、基板からから浴室内側に所定の間隔をあけて配置される。
【００７９】
これにより、浴室内側から、点光源が点在して見え難く、面全体が均一に発光しているように見え易くなる。
【００８０】
また、面状発光体６としてＥＬ装置が用いられてもよく、ＥＬ装置は、上述したように少なくともＥＬ素子を有する。このようなＥＬ素子は、有機ＥＬをはじめ既に公知となっており、既知のものが適宜利用可能である。
【００８１】
面状発光体６としてＥＬ装置が用いられる場合、透光性カバー３１は、間に透光性カバー３１が介在しても物体が明確に見えるような光透過性を有するものであってもよい。また、透光性カバー３１は、シボ加工や乳白色等の着色が施されて所謂スリガラス状となって、間に透光性カバー３１が介在すると物体が明確に見えないものであってもよい。
【００８２】
また、図１８に示す第三実施形態のように、天井部１において、天井パネル１０が大部分の領域に設けられ、面状発光体６が残りの一部分に設けられてもよい。ここで、天井パネル１０は、換気用パネル１１と点検口パネル１２と第三のパネル１０１を有する。
【００８３】
本実施形態の面状発光体６において、天井パネル１０が設けられる側の端部を第一端部６１とし、その第一端部６１と対向する端部を第二端部６２とする。ここで、第二端部６２が壁パネル２０の上端部に連結される。また、第一端部６１と第二端部６２が対向する方向に垂直な方向において、換気用パネル１１と連結する一方側の端部を第三端部６３とし、第三のパネル１０１と連結する他方側の端部を第四端部６４とする。
【００８４】
ここで、第二端部６２に連結される壁パネル２０を第一壁パネル２０１とし、第一壁パネル２０１と対向する壁パネル２０を第二壁パネル２０２とする。また、第一壁パネル２０１と第二壁パネル２０２が対向する方向と垂直な方向において、換気用パネル１１が連結される一方側の壁パネル２０を第三壁パネル２０３とし、他方側の壁パネル２０を第四壁パネル２０４とする。
【００８５】
本実施形態の面状発光体６は平面視矩形状をしており、第一壁パネル２０１の上端に沿った方向が長手方向となり、第三壁パネル２０３の上端に沿った方向が短手方向となっている。なお、面状発光体６は平面視長方形状ではなく、平面視正方形状でもよく、その形状は特に限定されない。
【００８６】
第一端部６１は、上記した第二の側片５０と同じ構成を有する。第二端部６２は、第一の側片４０と同じ構成を有する。第三端部６３および第四端部６４は、第二の側片５０における枠片５１、支持片５３を有していればよい。
【００８７】
換気用パネル１１は平面視矩形状をしており、第三壁パネル２０３の上端に沿った方向が長手方向となり、第一壁パネル２０１の上端に沿った方向が短手方向となっている。本実施形態の換気用パネル１１は、第三壁パネル２０３の上端の全長に亘って連結される。
【００８８】
換気用パネル１１の周縁において、三辺がそれぞれ第一壁パネル２０１、第二壁パネル２０２、第三壁パネル２０３に連結され、残りの一辺が隣接する点検口パネル１２および面状発光体６に連結される。特に換気用パネル１１における面状発光体６と連結する部分には、上記した起立片１６が設けられる。
【００８９】
第三のパネル１０１は平面視矩形状をしており、第四壁パネル２０４の上端に沿った方向が長手方向となり、第一壁パネル２０１の上端に沿った方向が短手方向となっている。本実施形態の第三のパネル１０１は、第四壁パネル２０４の上端の全長に亘って連結される。
【００９０】
第三のパネル１０１の周縁において、三辺がそれぞれ第一壁パネル２０１、第二壁パネル２０２、第四壁パネル２０４に連結され、残りの一辺が隣接する点検口パネル１２および面状発光体６に連結される。特に第三のパネル１０１における面状発光体６と連結する部分には、上記した起立片１６が設けられる。
【００９１】
点検口１２０に関しては、上記した第一実施形態および第二実施形態の点検口パネル１２と同じ構成となっている。
【００９２】
このように、本実施形態では、天井部１における面状発光体６が占める領域を、天井パネル１０が占める領域よりも小さくした。これにより、面状発光体６をコンパクトな構成にすることができるので、浴室外方への照明装置の突出長さを短くすることができ、浴室空間が狭くなるのを抑制することができる。
【００９３】
以上のように、浴室は、天井部１および壁部２を備える。浴室は、天井部１の一部の領域に設けられる照明ユニット３と、天井部１の一部の領域を除いた残りの領域に設けられる天井パネル１０を備える。浴室は、天井パネル１０の浴室外側に設けられる換気装置１８およびそのダクト１９を備える。照明ユニット３は、周縁部に設けられる、壁部２または天井部１と連結されるための連結部４００と、面状発光体６と、を備える。照明ユニット３は、その浴室内外方向における長さが、天井パネル１０の浴室内外方向における長さと、換気装置１８またはダクト１９の天井パネル１０からの浴室外方向への突出長さの合計長さ以下であることを特徴とする。
【００９４】
これにより、天井部１または壁部２における浴室外方への照明装置の突出長さが、従来の照明装置の突出長さよりも短くてすむか、あるいは照明装置が突出しなくてすみ、天井面を下げる必要がなく、浴室空間が狭くなるのが抑制される。
【００９５】
また、面状発光体６は、発光素子７および導光板８を有する装置、または、複数の発光素子を備えた基板を有する装置、または、ＥＬ素子を有する装置のいずれか一つまたは複数により構成されることが好ましい。
【００９６】
これにより、従来の一般的な白熱電球または蛍光灯が用いられる照明装置と比較して、厚みが薄くなり、天井の高さを下げなくても、広い面積の照明装置を設けることができる。
【００９７】
また、照明ユニット３は、面状発光体６が取り付けられるフレーム４を備える。フレーム４は、本体となる枠片５１、枠片５１よりフレーム４の面方向内側に向けて設けられる支持片４３、５３と、を備え、支持片４３、５３の浴室外側の面に、パッキン４８を介して浴室内に面する透光性カバー３１が取り付けられ、透光性カバー３１は、面状発光体６から浴室内側に所定の間隔をあけて配置されるものであることが好ましい。
【００９８】
また、透光性カバー３１は、浴室内外方向視において面状発光体６と略同じ形状であることが好ましい。
【００９９】
これにより、透光性カバー３１の全面から均一に発光しているように見え易くなり、使用者が自然光を浴びているような開放感を感じることができる。
【０１００】
また、透光性カバー３１および天井パネル１０の浴室内側の面が略面一となることが好ましい。
【０１０１】
これにより、浴室内側からの見栄えが良くなる。
【符号の説明】
【０１０２】
１    天井部
１８  換気装置
１９  ダクト
２    壁部
４００  連結部
６    面状発光体
【図１】
0006447922.tif 000002
【図２】
0006447922.tif 000003
【図３】
0006447922.tif 000004
【図４】
0006447922.tif 000005
【図５】
0006447922.tif 000006
【図６】
0006447922.tif 000007
【図７】
0006447922.tif 000008
【図８】
0006447922.tif 000009
【図９】
0006447922.tif 000010
【図１０】
0006447922.tif 000011
【図１１】
0006447922.tif 000012
【図１２】
0006447922.tif 000013
【図１３】
0006447922.tif 000014
【図１４】
0006447922.tif 000015
【図１５】
0006447922.tif 000016
【図１６】
0006447922.tif 000017
【図１７】
0006447922.tif 000018
【図１８】
0006447922.tif 000019